(57)【特許請求の範囲】
【請求項１】
建築設計用のＣＡＤデータを参照して、このＣＡＤデータに含まれる開口部の寸法と、この開口部にはめ込まれる枠材の寸法から、両者の隙間を埋めるためのバックアップ材のサイズを算出するサイズ算出手段と、
上記ＣＡＤデータを参照して、開口部付近の構造材の配置を取得して、この配置からバックアップ材の種類を選定する種類選定手段と、
開口部ごとに、上記種類選定手段で選定したバックアップ材を、上記サイズ算出手段で算出したサイズで切断するようにプレカット部を制御するプレカット制御手段と、
プレカットしたバックアップ材を開口部単位でパッキングする梱包手段とを備えたことを特徴とする開口部のバックアップ材加工システム。
【請求項２】
請求項１に記載の開口部のバックアップ材加工システムにおいて、
サイズ算出手段は、
建築設計用のＣＡＤデータを参照して、このＣＡＤデータに含まれる開口部の寸法と、この開口部にはめ込まれる枠材の断面形状と枠材の寸法変動要素とを表示する形状パターンマトリックスから、両者の隙間を埋めるためのバックアップ材のサイズを算出することを特徴とする開口部のバックアップ材加工システム。
【請求項３】
請求項１に記載の開口部のバックアップ材加工システムにおいて、
上記バックアップ材には、使用される開口部と取り付け位置とを識別するマーキングを施したことを特徴とする開口部のバックアップ材加工システム。
【請求項４】
構造材のプレカット用データ生成のために使用される建築設計用のＣＡＤデータを参照して、このＣＡＤデータに含まれる開口部の寸法と、この開口部にはめ込まれる枠材の寸法から、両者の隙間を埋めるためのバックアップ材のサイズを算出し、
上記ＣＡＤデータを参照して、開口部付近の構造材の配置を参照して、この配置からプレカット材の種類を選定して、
開口部ごとに、上記種類選定手段で選定したバックアップ材を、上記サイズ算出手段で算出したサイズで切断するようにプレカットを制御し、
プレカットしたバックアップ材を開口部単位でパッキングすることを特徴とする開口部のバックアップ材加工方法。
【請求項５】
構造材のプレカット用データ生成のために使用される建築設計用のＣＡＤデータを参照して、このＣＡＤデータに含まれる開口部の寸法と、この開口部にはめ込まれる枠材の断面形状と枠材の寸法変動要素とを表示する形状パターンマトリックスから、両者の隙間を埋めるためのバックアップ材のサイズを算出し、
上記ＣＡＤデータを参照して、開口部付近の構造材の配置を参照して、この配置からプレカット材の種類を選定して、
開口部ごとに、上記種類選定手段で選定したバックアップ材を、上記サイズ算出手段で算出したサイズで切断するようにプレカットを制御し、
プレカットしたバックアップ材を開口部単位でパッキングすることを特徴とする開口部のバックアップ材加工方法。
【請求項６】
構造材のプレカット用データ生成のために使用される建築設計用のＣＡＤデータを参照して、このＣＡＤデータに含まれる開口部の寸法と、この開口部にはめ込まれる枠材の寸法から、両者の隙間を埋めるためのバックアップ材のサイズを算出する処理と、
上記ＣＡＤデータを参照して、開口部付近の構造材の配置を参照して、この配置からプレカット材の種類を選定する処理と、
開口部ごとに、上記種類選定手段で選定したバックアップ材を、上記サイズ算出手段で算出したサイズでプレカット制御するためのデータを生成する処理とを実行する、コンピュータプログラムを記録したコンピュータ読み取り可能な記録媒体。
【発明の詳細な説明】
【０００１】
【発明の属する技術分野】
本発明は、住宅の開口部にはめ込まれるサッシやドアと開口部の隙間を埋めるためのバックアップ材を、予め工場でプレカットして搬出するための、開口部のバックアップ材加工システムに関する。
【０００２】
【従来の技術】
住宅のサッシやドアなどは、あらかじめ工場で製造され組み立てられて、建築工事現場に搬入される。建物の壁や構造体には、サッシやドアの金属製の枠等をはめこむことができるようにあらかじめ柱や梁を組んだ開口部を設けておく。この開口部のサイズを正確に上記枠等をはめこむことができるサイズにしておくとはめ込み作業が困難なため、開口部をやや大きめのサイズに設定しておく。また、収まり上、最終的な仕上げ面の位置が規定されており、開口部中で枠の位置合わせをするために、開口部と枠との隙間にバックアップ材を詰め込む。従って、現場でバックアップ材を必要な寸法に切断してその隙間を埋めて枠を所定の位置に固定している。
【０００３】
【発明が解決しようとする課題】
ところで、上記のような従来の技術には、次のような解決すべき課題があった。
１軒の住宅には非常に多数のサッシやドアが取り付けられる。サッシやドアを取り付ける場所によって、バックアップ材のサイズや厚みは様々である。したがって、設計図を参照しながらバックアップ材を取り付ける位置を決めて、寸法や厚みを測ってバックアップ材の加工をする。こうしたいわゆる現場合わせには熟練が必要で作業時間も長くなり工賃が高くなるという問題があった。また、バックアップ材の取り付け位置や寸法を判断するためには高度の専門知識が必要になるという問題もある。さらに、現場合わせによってバックアップ材を加工する場合には定尺材から切り出しをするため、多くの切り屑が発生し、廃棄物処理上の問題も発生する。
【０００４】
【課題を解決するための手段】
本発明は以上の点を解決するため次の構成を採用する。
〈構成１〉
建築設計用のＣＡＤデータを参照して、このＣＡＤデータに含まれる開口部の寸法と、この開口部にはめ込まれる枠材の寸法から、両者の隙間を埋めるためのバックアップ材のサイズを算出するサイズ算出手段と、上記ＣＡＤデータを参照して、開口部付近の構造材の配置を取得して、この配置からバックアップ材の種類を選定する種類選定手段と、開口部ごとに、上記種類選定手段で選定したバックアップ材を、上記サイズ算出手段で算出したサイズで切断するようにプレカット部を制御するプレカット制御手段と、プレカットしたバックアップ材を開口部単位でパッキングする梱包手段とを備えたことを特徴とする開口部のバックアップ材加工システム。
【０００５】
〈構成２〉
構成１に記載の開口部のバックアップ材加工システムにおいて、サイズ算出手段は、建築設計用のＣＡＤデータを参照して、このＣＡＤデータに含まれる開口部の寸法と、この開口部にはめ込まれる枠材の断面形状と枠材の寸法変動要素とを表示する形状パターンマトリックスから、両者の隙間を埋めるためのバックアップ材のサイズを算出することを特徴とする開口部のバックアップ材加工システム。
【０００６】
〈構成３〉
構成１に記載の開口部のバックアップ材加工システムにおいて、上記バックアップ材には、使用される開口部と取り付け位置とを識別するマーキングを施したことを特徴とする開口部のバックアップ材加工システム。
【０００７】
〈構成４〉
構造材のプレカット用データ生成のために使用される建築設計用のＣＡＤデータを参照して、このＣＡＤデータに含まれる開口部の寸法と、この開口部にはめ込まれる枠材の寸法から、両者の隙間を埋めるためのバックアップ材のサイズを算出し、上記ＣＡＤデータを参照して、開口部付近の構造材の配置を参照して、この配置からプレカット材の種類を選定して、開口部ごとに、上記種類選定手段で選定したバックアップ材を、上記サイズ算出手段で算出したサイズで切断するようにプレカットを制御し、プレカットしたバックアップ材を開口部単位でパッキングすることを特徴とする開口部のバックアップ材加工方法。
【０００８】
〈構成５〉
構造材のプレカット用データ生成のために使用される建築設計用のＣＡＤデータを参照して、このＣＡＤデータに含まれる開口部の寸法と、この開口部にはめ込まれる枠材の断面形状と枠材の寸法変動要素とを表示する形状パターンマトリックスから、両者の隙間を埋めるためのバックアップ材のサイズを算出し、上記ＣＡＤデータを参照して、開口部付近の構造材の配置を参照して、この配置からプレカット材の種類を選定して、開口部ごとに、上記種類選定手段で選定したバックアップ材を、上記サイズ算出手段で算出したサイズで切断するようにプレカットを制御し、プレカットしたバックアップ材を開口部単位でパッキングすることを特徴とする開口部のバックアップ材加工方法。
【０００９】
〈構成６〉
構造材のプレカット用データ生成のために使用される建築設計用のＣＡＤデータを参照して、このＣＡＤデータに含まれる開口部の寸法と、この開口部にはめ込まれる枠材の寸法から、両者の隙間を埋めるためのバックアップ材のサイズを算出する処理と、上記ＣＡＤデータを参照して、開口部付近の構造材の配置を参照して、この配置からプレカット材の種類を選定する処理と、開口部ごとに、上記種類選定手段で選定したバックアップ材を、上記サイズ算出手段で算出したサイズでプレカット制御するためのデータを生成する処理とを実行する、コンピュータプログラムを記録したコンピュータ読み取り可能な記録媒体。
【００１０】
【発明の実施の形態】
以下、本発明の実施の形態を具体例を用いて説明する。
図１は本発明の建築開口部のバックアップ材加工システムを示すブロック図である。
図のホストコンピュータ１は、工場のプレカット部８を制御してバックアップ材のプレカットを行うためのデータを生成する装置である。実際には、ホストコンピュータ１が生成した情報を、図示しない制御用コンピュータに転送し、その制御用コンピュータがプレカット部８を直接制御するケースが多い。しかしながら、制御用コンピュータの部分は既知のものでよいから、ここでは図示を省略し、ホストコンピュータ１が直接プレカット部を制御する例を示した。
【００１１】
このホストコンピュータ１の内部に設けられた主要な機能ブロックを図の一点鎖線の枠中に示した。ホストコンピュータ１中の記憶装置２には、ＣＡＤデータ３が記憶されている。このＣＡＤデータは建築設計用の図面を作成するためのデータである。この他、にホストコンピュータ１上で実行されるコンピュータプログラムであって、主要なものを図示した。ここでは、サイズ算出手段４、種類選定手段５及びプレカット制御手段６を例示した。
【００１２】
サイズ算出手段４は、ＣＡＤデータ３を参照してＣＡＤデータ３に含まれる開口部の寸法と開口部にはめ込まれる枠材の寸法等の寸法データから、バックアップ材のサイズを算出する機能を持つ。種類選定手段５は、ＣＡＤデータ３に含まれる開口部付近の構造材の配置その他の構造データから、バックアップ材の材質等の種類を選定する機能を持つ。プレカット制御手段６は、種類選定手段５で選定したバックアップ材をサイズ算出手段４で算出したサイズでプレカットするようにプレカット部８を制御する機能を持つ。
【００１３】
プレカット部８には、サプライ１１とカッター１２とマーカー１３が設けられている。バックアップ材１４は、サプライ１１によってカッター１２方向に供給されて所定の長さに切断された後、マーカー１３によって識別マークの印刷がされる。プレカット後のバックアップ材１４は、集積部９のパレット１５上に積み上げられる。その後このバックアップ材１４は、梱包部１０においてバインダ１６を用いて梱包される。
【００１４】
住宅の建築に乾燥材や集成材あるいはプレカット材等が使用されるようになり、柱や梁といった構造材が非常に高い精度で組み立てられるようになった。サッシやドアの枠も工場で正確に組み立てられる。そこで、本発明では構造材のプレカット用データ生成のために使用される建築設計用のＣＡＤデータ３を利用して、バックアップ材のプレカット用データを生成する。例えば、ドアをはめ込むための金属枠の場合には、ドアが部屋の壁の中央に取り付けられるか隅の方に取り付けられるかによって、バックアップ材の種類やはめ込み位置が異なる。そこで、建築設計用のＣＡＤデータ３中に含まれる開口部付近の構造材や配置を参照する。この配置からプレカット材の種類が選定できる。また、ＣＡＤデータ３に含まれる開口部の寸法と、この開口部にはめ込まれる枠材の寸法から、両者の隙間を埋めるためのバックアップ材のサイズを算出できる。以上の処理の結果を利用して、プレカット部８は、バックアップ材をプレカットする。プレカットしたバックアップ材１４には、使用される開口部や取り付け位置を識別するためのマーキングを施す。その後梱包部１０で、開口部別にパッキングされる。
【００１５】
図２は、本発明を実施する住宅の例で（ａ）はその外観正面図（ｂ）は主要部の間取り図である。
図の（ａ）に示す住宅２０には、図に示す窓２１、玄関２２、明かり取り２３などの開口部がある。これらの開口部にはサッシなどのあらかじめ工場で製造された枠材がはめ込まれる。そのとき、開口部の構造材とこれらの枠材との間に、上記のようなバックアップ材をはめ込む。（ｂ）に示す間取り図において、部屋２４の間仕切り２５には、ドア２６が取り付けられている。部屋２４の隣の部屋の間仕切り２７にも、同様のドア２８が設けられる。ドア２６とドア２８とが全く同一規格のもであっても、間仕切り２５の中央にドア２６を配置した場合と、間仕切り２７の端の部分にドア２８を配置した場合とでは、バックアップ材の寸法や数などが異なる。
【００１６】
図３は、ドアの位置に応じて異なるバックアップ材の構造を説明するための、間仕切りの主要部横断面図である。
図の（ａ）は間仕切りの中央付近にドアを配置したときの構造例を示す。図の柱３０の両面には、石膏ボード３２が貼り付けられている。この柱３０の一面であって、石膏ボード３２の端の部分に、ドアの額縁型３３をはめ込む。さらにこの額縁型３３の中央にドア用方立３４と戸当たり３５とを固定する。この場合に、ドア用方立３４と柱３０との間に隙間が生じる。この部分にバックアップ材４１をはめ込んで、ドア用方立３４の位置を正確に調整する。反対側の柱３１の両側にも石膏ボード３０が貼り付けられている。ここにも額縁型３６と、ドア用方立３７と戸当たり３８とを配置する。そして、ドア用方立３７と柱３１との間にバックアップ材４３をはめ込む。
【００１７】
この図の（ａ）に示すように、間仕切りの中央にドアを配置する場合には、左右対称の断面構造になる。そこに、同一の厚さのバックアップ材を４枚用意して、これらを柱３０、３１とドア用方立３４、３７との間にそれぞれはさみ込む。一方（ｂ）の例では、図の下方にある柱３９が部屋の隅に配置されている。このため、ドアの位置をやや図の上方にシフトさせる。従って、図の上方に配置された柱３０とドア用方立３４との間には薄い１枚のバックアップ材４２を配置する。一方、部屋の隅に位置する柱３９とドア用方立３７との間には厚いバックアップ材４４を配置する。
【００１８】
このように、同一の規格のドアを同一の太さの柱と同一の厚みの石膏ボードを使用した部屋に取り付ける場合でも、取り付け場所に応じてバックアップ材のサイズが異なる。従って、図１に示すＣＡＤデータ３に、この図３に示すような詳細なバックアップ材の図形情報が含まれている場合には、サイズ算出手段４は、その縦横高さのサイズを算出する。種類選定手段５は、サイズと使用場所に応じたバックアップ材の種類を選定する。また、間仕切りの構造と柱の位置とドアの位置のみがＣＡＤデータ３に含まれている場合には、サイズ算出手段４は、額縁型やドア用方立の寸法から、バックアップ材のサイズを算出する。種類選定手段５は、どこにどのような種類のバックアップ材を使用するかという情報を取得して、適宜、サイズ算出手段４に与える。
【００１９】
図４は、図１に示したシステムによるバックアップ材のサイズ算出や種類選定及びプレカットと梱包処理などの具体的な流れを示す説明図である。
まずサイズ算出手段４により、図の一番上に示すような石膏ボード３２に挟まれたバックアップ材４２のサイズデータ８０が算出される。このサイズデータ８０は、バックアップ材４２が使用される場所を示す取り付け場所データと、バックアップ材４２のサイズを示すデータから構成される。例えば、「クロゼットのドアＬ」というのは、クロゼットのドアの左側の隙間にはめ込まれるということを示す。種類選定手段５は、どの場所に使用されるどのような厚みのものかという情報に基づいて、バックアップ材の種類を示す情報８１を選定する。この情報に基づいてバックアップ材の材料がストックヤード８２からピッキングされる。
【００２０】
ピッキングされた材料は、図１に示すプレカット部８に搬送され、上記のサイズ情報８０に基づいてプレカットされる。このとき、マーカー１３によって、バックアップ材４２に識別情報７１が印刷される。識別情報７１は、サイズ情報８０に含まれた取り付け場所示す情報である。このように、そのバックアップ材４２がどの開口部のどの部分に取り付けるかといった情報を付加しておくことによって、現場で簡単に間違いなくバックアップ材の取り付けが可能になる。プレカットされたバックアップ材４２は、例えば、ドア用部品３４やドア取り付け用部品７２などと共に、梱包容器７５に一緒に収納されて出荷される。
【００２１】
なお、こうしたバックアップ材４２の梱包方法には、例えば、大梱包、中梱包、小梱包という梱包方法を採用することができる。図の大梱包８５は、邸別の梱包である。また、中梱包８６、８７は、階層別の梱包である。１階、２階、というように、階ごとに梱包を区別する。最小単位の小梱包８８は、例えばドア用の部品とバックアップ材とをまとめて梱包した包装である。このような梱包方法を採用することによって、現場で手際よく必要な部品を取り出して、取り付け工事が可能になる。
【００２２】
図５は窓の部分の構造を示し、（ａ）（ｂ）はそれぞれ別々の構造の窓における外壁主要部横断面図である。
図の（ａ）に示す例では、サッシ５１がサイディング５２の開口部にはめ込まれている。このとき、室内の壁５０とサッシ５１との収まりを調整するためにバックアップ材６１、６２、６３、６４がはめ込まれる。図の（ｂ）に示す構造の場合、サイディング５７の開口に、サッシ５６が配置される。サッシ５６の内側に窓台５８が設けられている。窓台５８と内部の壁５５とサッシ５６との収まりを調整するためにバックアップ材６５、６６が挟み込まれている。（ａ）と（ｂ）とは、同様の開口部でありながら、窓の構造によってバックアップ材のサイズや数等が複雑に異なる。このような複雑なバックアップ材の割り付け位置決めやサイズ計算は、図１に示すサイズ算出手段４が行う。また、各バックアップ材の材料の種類選定は、図１に示す種類選定手段５が行う。
【００２３】
図６の、（ａ）はバックアップ材のサイズからバックアップ材の種類を導くテーブルデータ、（ｂ）は開口部にはめ込むサッシの種類とはめ込む場合の条件を示すデータである。
（ａ）のテーブルデータによれば、バックアップ材の必要厚さが決まると、バックアップ材の組み合わせや、その材料を決定することができる。また、（ｃ）に示すデータにより、図３のどの構造のバックアップ材が必要か等を判定できる。図１の種類選定手段５は、このようなテーブルデータを利用すればよい。例えば両端条件を判断し、両端が柱か方立か入平かによってバックアップ材の幅などが決まる。また内部仕上げの状態によってバックアップ材の形状などが決まる。
【００２４】
図７はサイズ算出手段４及び種類選定手段５などの動作を説明するフローチャートである。
図において、まずステップＳ１で図１に示す記憶装置２からＣＡＤデータ３を取得する。データ取得は部品梱包の都合上、邸別に行う。ステップＳ２以下で、全ての開口部を１つ１つ見つけてバックアップ材のサイズや種類を決定する処理を実行する。まずステップＳ２でサッシの形式を判定する。次にステップＳ３においてサッシの切りつめを判定する。次にステップＳ４で外部面側下地判定を行う。図５（ａ）の例で言えば、サッシ５１が取り付けられる外部面はサイディング５２であり、その下地などの構造を判定する。次にステップＳ５で両端条件を判定する。すなわち、サッシの左端と右端に柱があったり壁があるといった条件の判定を行う。窓台などがある場合にもその条件に含める。ステップＳ６では上部下部の条件を判定する。ここでは、マグサや羽柄材など有無や構造の判定を行う。
【００２５】
次にステップＳ７で仕上げ条件の判定を行う。そしてステップＳ８で収まり条件の判定を行う。サッシをどのように収めるかという位置を正確に判定する。次に取り付け条件を判定する。取り付けは、どのような取り付け方をするかといった判断である。ステップＳ２からステップＳ９の判定により、バックアップ材のサイズと材料の種類が決定し、ステップＳ１０でピッキング情報が生成される。この情報に従って、図４に示したようなピッキング処理が行われる。次にステップＳ１１において、運送条件が判定される。さらにステップＳ１２において梱包条件が判定される。すなわちどのような形態で梱包し、どのように運送するか、長さや分量などを考慮してこの条件を判定する。そして、ステップＳ１３において梱包情報を生成し、図４に示したような梱包処理を行う。
【００２６】
その後ステップＳ１４で取り付け指示書を作成し、フィードバックラベルの印刷を行う。取り付け指示書には、各バックアップ材をどの位置にどのように取り付けるかといった指示が記入される。フィードバックラベルは、バックアップ材の工事を行った作業者が気付いた事項を書き込み、これを工場に戻すことによって作業の改善等に役立てるために使用される。以上のようにして、バックアップ材を工場でプレカットし梱包して現場に配送することができる。これによって、従来現場で標準の木材を切断して作成していたバックアップ材を、全て工場で製造でき、現場作業者の負担が大いに軽減される。しかもバックアップ材のサイズや種類を判定して加工するといった熟練の要る作業が不要になる。また現場加工による大量の廃棄物をなくすことができる。さらに工場で大量生産することによってコストダウンを計ることが可能になる。
【００２７】
なお、上記の実施例では、サイズ算出手段が、建築設計用のＣＡＤデータを参照して、このＣＡＤデータに含まれる開口部の寸法と、この開口部にはめ込まれる枠材の寸法から、両者の隙間を埋めるためのバックアップ材のサイズを算出した。しかしながら、サイズ算出手段は、建築設計用のＣＡＤデータに含まれる開口部の寸法と、以下に説明するような開口部にはめ込まれる枠材の断面形状と枠材の寸法変動要素とを表示する形状パターンマトリックスから、両者の隙間を埋めるためのバックアップ材のサイズを算出することもできる。
【００２８】
図８は、本発明のシステムにおけるサイズ算出手段の動作変形例を示す説明図である。
これは、形状パターンマトリックスであって、サイズ算出手段用の演算テーブルである。図のマトリックスの中には、開口部の断面形状と開口部の寸法変動要素とを特定した場合のバックアップ材のサイズに相当するデータが入力されている。開口部は長方形であるから、例えば、開口部の幅が６００ｍｍ、高さが９０６ｍｍの場合にはａ、幅が６００ｍｍ、高さが１２１１ｍｍの場合にはｂ、というようにして、どの行を指定するかルールを決めておく。また寸法変動要素は、例えば、サッシの種類と両端条件、上下条件の組み合わせでどの列を指定するかルールを決めておく。これにより、機械的にバックアップ材のサイズを算出することができる。
【００２９】
上記の例で、バックアップ材のサイズの判定方法や、種類の判定方法、その判定順、判定のための条件などは、開口部の種類、開口部にはめ込まれるサッシ等の枠材の種類によって自由に最適なものに変更して構わない。また、バックアップ材の梱包方法も自由である。また、図１中に示した各機能ブロックは、それぞれ別々のプログラムモジュールにより構成してもよいし、一体化したプログラムモジュールにより構成してもよい。また、これらの機能ブロックの全部または一部を論理回路によるハードウエアで構成しても構わない。また、各プログラムモジュールは、既存のアプリケーションプログラムに組み込んで動作させてもよいし、独立のプログラムとして動作させてもよい。上記のような本発明を実現するためのコンピュータプログラムは、例えばＣＤ−ＲＯＭのようなコンピュータで読み取り可能な記録媒体に記録して、インストールして利用することができる。また、ネットワークを通じてコンピュータのメモリ中にダウンロードして利用することもできる。
【図面の簡単な説明】
【図１】本発明の建築開口部のバックアップ材加工システムを示すブロック図である。
【図２】本発明を実施する住宅の例で（ａ）はその外観正面図（ｂ）は主要部の間取り図である。
【図３】ドアの位置に応じて異なるバックアップ材の構造を説明するための、間仕切りの主要部横断面図である。
【図４】図１に示したシステムによるバックアップ材のサイズ算出や種類選定及びプレカットと梱包処理などの具体的な流れを示す説明図である。
【図５】窓の部分の構造を示し、（ａ）（ｂ）はそれぞれ別々の構造の窓における外壁主要部横断面図である。
【図６】（ａ）はバックアップ材のサイズからバックアップ材の種類を導くテーブルデータ、（ｂ）は開口部にはめ込むサッシの種類とはめ込む場合の条件を示すデータである。
【図７】サイズ算出手段４及び種類選定手段５などの動作を説明するフローチャートである。
【図８】本発明のシステムにおけるサイズ算出手段の動作変形例を示す説明図である。
【符号の説明】
１  ホストコンピュータ
２  記憶装置
３  ＣＡＤデータ
４  サイズ算出手段
５  種類選定手段
６  プレカット制御手段
８  プレカット部
９  集積部
１０  梱包部
１４  バックアップ材
【図１】
0004433605.tif 000002
【図２】
0004433605.tif 000003
【図３】
0004433605.tif 000004
【図４】
0004433605.tif 000005
【図５】
0004433605.tif 000006
【図６】
0004433605.tif 000007
【図７】
0004433605.tif 000008
【図８】
0004433605.tif 000009